(57)【要約】【課題】水上での高所作業に際して、円滑な作業を阻害することなく、確実に安全を確保することができる救命具を提供する。【解決手段】着用者の頸部周りに設けられる浮力発生体２と、浮力発生体２に一体に設けられて着用者に固定する第１装着帯３と、命綱を連結する第２装着帯４とを備える。第１装着帯３は、浮力発生体２の背後側から垂下する背帯６と、背帯６の下端から左右方向に延びて両先端が胸前に至る胴帯７とを備える。第２装着帯４は、着用者の左右の肩に掛ける一対の肩掛帯９と、着用者の内腿に掛ける一対の腿掛帯１１と、背後側の肩掛帯９に設けられた命綱用連結環１５とを備える。胴帯７の一方の先端部と一方の肩掛帯９とは、第１連結部１９を介して連結され、胴帯７の他方の先端部と他方の肩掛帯１１とは、第２連結部２０を介して連結されている。【選択図】図１
2020185813.tif 000002
【特許請求の範囲】
【請求項１】
人体に装着して用いる救命具であって、
着用者の少なくとも頸部周りから胸部にかけて設けられる浮力発生体と、該浮力発生体に一体に設けられて着用者に固定する第１装着帯と、命綱を連結する第２装着帯とを備え、
前記第１装着帯は、前記浮力発生体の背後側から垂下する背帯と、該背帯の下端から左右方向に延びて着用者の両脇下を経て両先端が胸前に至る胴帯とを備え、
前記第２装着帯は、着用者の左右の肩に掛ける一対の肩掛帯と、各肩掛帯の下端に連設されて着用者の内腿に掛ける一対の腿掛帯と、背後側の前記肩掛帯に設けられた命綱用連結環とを備え、
前記第１装着帯の前記胴帯の一方の先端部と前記第２装着帯の一方の肩掛帯とは、第１連結部を介して連結され、
前記第１装着帯の前記胴帯の他方の先端部と前記第２装着帯の他方の肩掛帯とは、第２連結部を介して連結されていることを特徴とする救命具。
【請求項２】
一方の前記肩掛帯と他方の前記肩掛帯との間に、両肩掛帯同士を締結する胸帯を設け、
前記胸帯は、一方の前記肩掛帯に基端部が連結された第１胸帯片と、他方の前記肩掛帯に基端部が連結された第２胸帯片と、第１胸帯片の先端部と第２胸帯片の先端部とを着脱自在に連結する第３連結部とを備え、
前記第１連結部は、前記第１装着帯の前記胴帯の一方の先端部を、前記第１胸帯片を介して前記第２装着帯の一方の肩掛帯と連結し、
前記第２連結部は、前記第１装着帯の前記胴帯の他方の先端部を、前記第２胸帯片を介して前記第２装着帯の他方の肩掛帯と連結することを特徴とする請求項１記載の救命具。
【請求項３】
前記第１連結部は、前記第１装着帯の前記胴帯の一方の先端部と前記第２装着帯の一方の前記肩掛帯とを着脱自在に連結する第１着脱バックルによって構成され、
前記第２連結部は、前記第１装着帯の前記胴帯の他方の先端部と前記第２装着帯の他方の前記肩掛帯とを着脱自在に連結する第２着脱バックルによって構成されていることを特徴とする請求項１又は２記載の救命具。
【請求項４】
前記第１着脱バックルは互いに係脱自在に連結される第１雄バックル部材と第１雌バックル部材とで構成され、
前記第２着脱バックルは互いに係脱自在に連結される第２雄バックル部材と第２雌バックル部材とで構成され、
前記第１雄バックル部材と前記第２雌バックル部材とは、互いに連結可能に形成され、
前記第１雄バックル部材は、前記第１装着帯の前記胴帯の一方の先端部に設けられ、
前記第１雌バックル部材は、前記第１装着帯の前記胴帯の一方の先端部を連結する一方の前記肩掛帯に設けられ、
前記第２雌バックル部材は、前記第１装着帯の前記胴帯の他方の先端部に設けられ、
前記第２雄バックル部材は、前記第１装着帯の前記胴帯の他方の先端部を連結する他方の前記肩掛帯に設けられていることを特徴とする請求項３記載の救命具。
【請求項５】
前記第１装着帯の前記背帯は、前記第２装着帯の背後側の前記肩掛帯に連結されていることを特徴とする請求項１〜４の何れか１項記載の救命具。
【発明の詳細な説明】
【技術分野】
【０００１】
本発明は、落水時等に備える救命具に関する。
【背景技術】
【０００２】
河川、湖沼、海等の水辺や水上での作業を行う場合に、その作業者は、落水に備えて救命胴衣等の救命具を装着することが行われる。救命具は、着用者に浮力を付与するための浮力発生体と、浮力発生体を着用者に固定するための装着帯とを備えるものが知られている（例えば、下記特許文献１参照）。
【０００３】
浮力発生体は、発泡スチロール等の浮力材を用いたもののほか、近年では、装着時の嵩張りを防止するために、非常時に気体供給を受けて膨張することによって着用者に浮力を付与する所謂膨張式の浮力発生体が採用される。
【０００４】
また、浮力発生体を着用者に固定するための装着帯は、浮力発生体の背後側から垂下する背帯と、背帯の下端から左右方向に延びて着用者の両脇下を経て両先端が胸前に至る胴帯とを備えている。装着時に着用者の胸前にある胴帯の両先端は、着脱バックルによって着脱自在に連結されている。
【先行技術文献】
【特許文献】
【０００５】
【特許文献１】特開２００４−２０３３１６号公報
【発明の概要】
【発明が解決しようとする課題】
【０００６】
ところで、架橋建設工事のように、水上であるだけでなく高所の作業となる場合には、命綱を用いて落下時の安全を確保することが行われる。しかし、上記従来の救命具は、命綱を連結することは考慮されていない。
【０００７】
このため、命綱を連結するための安全帯を装着した上に、救命具を装着して作業を行わなければならず、安全帯と救命具との一体感が得られないために、作業時に安全帯と救命具とにずれが生じる等、高所作業の妨げになるおそれがある。
【０００８】
上記の点に鑑み、本発明は、水上での高所作業に際して、円滑な作業を阻害することなく、確実に安全を確保することができる救命具を提供することを目的とする。
【課題を解決するための手段】
【０００９】
かかる目的を達成するために、本発明は、人体に装着して用いる救命具であって、着用者の少なくとも頸部周りから胸部にかけて設けられる浮力発生体と、該浮力発生体に一体に設けられて着用者に固定する第１装着帯と、命綱を連結する第２装着帯とを備え、前記第１装着帯は、前記浮力発生体の背後側から垂下する背帯と、該背帯の下端から左右方向に延びて着用者の両脇下を経て両先端が胸前に至る胴帯とを備え、前記第２装着帯は、着用者の左右の肩に掛ける一対の肩掛帯と、各肩掛帯の下端に連設されて着用者の内腿に掛ける一対の腿掛帯と、背後側の前記肩掛帯に設けられた命綱用連結環とを備え、前記第１装着帯の前記胴帯の一方の先端部と前記第２装着帯の一方の肩掛帯とは、第１連結部を介して連結され、前記第１装着帯の前記胴帯の他方の先端部と前記第２装着帯の他方の肩掛帯とは、第２連結部を介して連結されていることを特徴とする。
【００１０】
本発明の救命具は、浮力発生体を備える第１装着帯と、命綱用連結環により命綱に連結される第２装着帯とを備えることにより、万一の落下及び落水を防止して二重の安全を確保することができる。しかも、浮力発生体を備える第１装着帯と、命綱用連結環により命綱に連結される第２装着帯とが、第１連結部及び第２連結部によって連結されているので、一体感が得られ、水上での高所作業を安心感を持って円滑に行うことができる。
【００１１】
また、本発明においては、一方の前記肩掛帯と他方の前記肩掛帯との間に、両肩掛帯同士を締結する胸帯を設け、前記胸帯は、一方の前記肩掛帯に基端部が連結された第１胸帯片と、他方の前記肩掛帯に基端部が連結された第２胸帯片と、第１胸帯片の先端部と第２胸帯片の先端部とを着脱自在に連結する第３連結部とを備え、前記第１連結部は、前記第１装着帯の前記胴帯の一方の先端部を、前記第１胸帯片を介して前記第２装着帯の一方の肩掛帯と連結し、前記第２連結部は、前記第１装着帯の前記胴帯の他方の先端部を、前記第２胸帯片を介して前記第２装着帯の他方の肩掛帯と連結することが好ましい。
【００１２】
これによれば、胴帯の一方の先端部と第１胸帯片とが第１連結部により連結され、胴帯の他方の先端部と第２胸帯片とが第２連結部により連結される。第２装着帯の肩掛帯は上下方向に延びる帯であるが、胸帯は肩掛帯に交差する横方向に延びており、第１装着帯の胴帯も横方向に延びている。このため、胸帯と胴帯との両連結部は連結方向が同じとなる。よって、肩掛帯に連結されている胸帯に、胸帯と同方向に延びる胴帯を連結することにより、肩掛帯と胴帯との連結状態が形成できるので、連結操作が容易となると共に、その構造も簡単となる。
【００１３】
また、本発明において、前記第１連結部は、前記第１装着帯の前記胴帯の一方の先端部と前記第２装着帯の一方の前記肩掛帯とを着脱自在に連結する第１着脱バックルによって構成され、前記第２連結部は、前記第１装着帯の前記胴帯の他方の先端部と前記第２装着帯の他方の前記肩掛帯とを着脱自在に連結する第２着脱バックルによって構成されていることが好ましい。これによれば、第１連結部や第２連結部における連結操作が容易となる。
【００１４】
更に、このとき、前記第１着脱バックルは互いに係脱自在に連結される第１雄バックル部材と第１雌バックル部材とで構成され、前記第２着脱バックルは互いに係脱自在に連結される第２雄バックル部材と第２雌バックル部材とで構成され、前記第１雄バックル部材と前記第２雌バックル部材とは、互いに連結可能に形成され、前記第１雄バックル部材は、前記第１装着帯の前記胴帯の一方の先端部に設けられ、前記第１雌バックル部材は、前記第１装着帯の前記胴帯の一方の先端部を連結する一方の前記肩掛帯に設けられ、前記第２雌バックル部材は、前記第１装着帯の前記胴帯の他方の先端部に設けられ、前記第２雄バックル部材は、前記第１装着帯の前記胴帯の他方の先端部を連結する他方の前記肩掛帯に設けられていることが好ましい。
【００１５】
第１連結部及び第２連結部による連結を解除すれば、浮力発生体を備える第１装着帯を第２装着帯から分離させることができる。そして、浮力発生体を備える第１装着帯のみを装着する時には、胴帯の一方の先端部に設けた第１雄バックル部材と、胴帯の他方の先端部に設けた第２雌バックル部材とを連結すればよい。このように、本発明によれば、浮力発生体を備える第１装着帯のみを装着することが可能となり、使い勝手が向上する。
【００１６】
また、本発明において、前記第１装着帯の前記背帯は、前記第２装着帯の背後側の前記肩掛帯に連結されていることが好ましい。これによれば、第１装着帯と第２装着帯とが前後の両方で連結されるので、一層強固な連結状態が得られ、第１装着帯と第２装着帯とを確実に一体化することができる。
【図面の簡単な説明】
【００１７】
【図１】本発明の実施形態である救命具の説明的正面図。
【図２】図１の救命具の説明的背面図。
【図３】第１着脱バックル及び第２着脱バックルの連結状態を示す説明図。
【図４】第１着脱バックル及び第２着脱バックルの連結を解除した状態を示す説明図。
【発明を実施するための形態】
【００１８】
本発明の一実施形態を図面に基づいて説明する。図１及び図２に示すように、本実施形態の救命具１は、浮力発生体２と、第１装着帯３と、第２装着帯４とを備えている。
【００１９】
浮力発生体２は、柔軟なシートで形成された外カバー５と、外カバー５の内側に畳んだ状態で収容された中空の浮袋（図示せず）とを備え、落水等の緊急時に浮袋を膨張させることで浮力を発生させる。浮力発生体２は、着用者の頸部の後方から両側に延びて胸部に至る形状に形成されている。
【００２０】
第１装着帯３は、図２に示すように、浮力発生体２の背後側（頸部の後ろ側）から垂下する背帯６と、図１及び図２に示すように、背帯６の下端から着用者の両脇下を経て両先端が胸前に至る胴帯７と、図１に示すように、外カバー５の胸前側から垂下して下端が胴帯７に連結された一対の連結帯８とを備えている。
【００２１】
第２装着帯４は、図１及び図２に示すように、所謂ハーネス型安全帯として命綱（図示しない）を連結して使用可能に構成されたものであり、着用者の両肩に掛けた状態で胸側と背中側とで下方に延びる一対の肩掛帯９と、着用者の胸前側の両肩掛帯９の間に横方向に延設された胸帯１０と、環状に形成されて左右の腿の夫々に掛けまわされる一対の腿掛帯１１と、腹部周りに巻回する腰帯１２とを備えている。
【００２２】
左右の腿掛帯１１は、夫々、左右の肩掛帯９の下端に連結されている。また、図２に示すように、着用者の背中側の両肩掛帯９は、上端と下端の結束具１３ａ，１３ｂ間において重合状態で上下方向に延びる重合部１４を形成しており、この重合部１４の上端の結束具１３ａには、命綱を連結するための命綱用連結環１５（アンカーリング）が取り付けられている。また、重合部１４には、第１装着帯３の背帯６がクリップ部材１６によって解除自在に連結されている。
【００２３】
図３及び図４に示すように、第２装着帯４の胸帯１０は、第１胸帯片１７と第２胸帯片１８とで構成されている。第１胸帯片１７は基端部が一方の肩掛帯９に連結され、第２胸帯片１８は基端部が他方の肩掛帯９に連結されている。第１胸帯片１７の先端部と第２胸帯片１８の先端部とは後述する第３着脱バックル２２（第３連結部）により連結されている。
【００２４】
第１胸帯片１７は、第１着脱バックル１９（第１連結部）によって第１装着帯３の胴帯７の一方の先端部に連結される。第１胸帯片１７は、第２装着帯４の一方の肩掛帯９に連結されることにより、第１装着帯３の胴帯７の一方の先端部と第２装着帯４の一方の肩掛帯９とが連結された状態となる。
【００２５】
同じように、第２胸帯片１８は、第２着脱バックル２０（第２連結部）によって第１装着帯３の胴帯７の他方の先端部に連結される。第１胸帯片１７は、第２装着帯４の他方の肩掛帯９に連結されることにより、第１装着帯３の胴帯７の他方の先端部と第２装着帯４の他方の肩掛帯９とが連結された状態となる。
【００２６】
図１、図３、及び図４に示すように、第１着脱バックル１９は、第１装着帯３の胴帯７の一方の先端部に設けられた第１雄バックル部材１９ａと、第２装着帯４の一方の肩掛帯９に連結されている第１胸帯片１７の基端部に設けられた第１雌バックル部材１９ｂとで構成されている。即ち、第１雄バックル部材１９ａと第１雌バックル部材１９ｂとは、第１装着帯３の胴帯７の一方の先端部と第２装着帯４の一方の肩掛帯９とを係脱自在に連結している。
【００２７】
同様に、第２着脱バックル２０は、第１装着帯３の胴帯７の他方の先端部に設けられた第２雌バックル部材２０ｂと、第２装着帯４の他方の肩掛帯９に連結されている第２胸帯片１８の基端部に設けられた第２雄バックル部材２０ａとで構成されている。即ち、第２雌バックル部材２０ｂと第２雄バックル部材２０ａとは、第１装着帯３の胴帯７の他方の先端部と第２装着帯４の他方の肩掛帯９とを係脱自在に連結している。
【００２８】
そして、第１雄バックル部材１９ａと第２雄バックル部材２０ａとは同一形状であり、第１雌バックル部材１９ｂと第２雌バックル部材２０ｂとは同一形状である。これにより、第１装着帯３の胴帯７の両端部が第１雄バックル部材１９ａと第２雌バックル部材２０ｂとで連結可能となっている。
【００２９】
更に、図１に示すように、第１装着帯３の胴帯７は、一方の先端部側と他方の先端部側との夫々に長さを調節するための環部材２１を備えている。
【００３０】
また、図１、図３、及び図４に示すように、第１胸帯片１７の先端部と第２胸帯片１８の先端部とを連結する第３着脱バックル２２は、第１胸帯片１７の先端部に設けられた第３雄バックル部材２２ａと、第２胸帯片１８の先端部に設けられた第３雌バックル部材２２ｂとで構成されている。第１胸帯片１７と第２胸帯片１８とは第３着脱バックル２２により係脱自在に連結されている。
【００３１】
以上のように構成された本実施形態の救命具１は、浮力発生体２によって落水に備えることができるだけでなく、命綱に連結される第２装着帯４によって高所作業における落下を防止することができるので、水上の高所作業において二重の安全を確保することができる。
【００３２】
更に、第１装着帯３と第２装着帯４とは、第１着脱バックル１９、第２着脱バックル２０及びクリップ部材１６により確実に一体化することができるので、一体感が得られ、作業を円滑に行うことができる。
【００３３】
また、第１装着帯３と第２装着帯４とを分離させたときには、胴帯７の一方の先端部に設けた第１雄バックル部材１９ａと、胴帯７の他方の先端部に設けた第２雌バックル部材２０ｂとを連結し、浮力発生体２を備える第１装着帯３のみを装着することができるので、使い勝手がよい。
【符号の説明】
【００３４】
１…救命具、２…浮力発生体、３…第１装着帯、４…第２装着帯、６…背帯、７…胴帯、９…肩掛帯、１０…胸帯、１１…腿掛帯、１５…命綱用連結環、１７…第１胸帯片、１８…第２胸帯片、１９…第１着脱バックル（第１連結部）、１９ａ…第１雄バックル部材、１９ｂ…第１雌バックル部材、２０…第２着脱バックル（第２連結部）、２０ａ…第２雄バックル部材、２０ｂ…第２雌バックル部材、２２…第３着脱バックル（第３連結部）。
【図１】
2020185813.tif 000003
【図２】
2020185813.tif 000004
【図３】
2020185813.tif 000005
【図４】
2020185813.tif 000006